(57)【要約】【課題】高架構造物下の空間に設けられた建築物において、耐震性能を容易に高めることができる天井構造を提供する。【解決手段】天井構造は、吊り下げ部材１により吊持された上段天井２と、上段天井２から垂下する吊り下げ部材３により吊持された下段天井と、吊り下げ部材３と下段天井とに固定されたブレース６と、を備える。上段天井２は、山部２１ａと谷部２１ｂとが交互に設けられた折板２１と、折板２１を上下両側から挟む上側部材２２及び下側部材２３と、を有する。下側部材２３は、折板２１に固定され、下側部材２３には、貫通孔２３ａが形成され、吊り下げ部材３は、貫通孔２３ａを通り、ブレース６の上部は、吊り下げ部材３のうち下側部材２３下の部分に固定されている。【選択図】図４
2019039157.tif 000002
【特許請求の範囲】
【請求項１】
高架構造物下の空間に設けられた建築物の天井構造において、
前記高架構造物から垂下する第１吊り下げ部材と、
前記第１吊り下げ部材により吊持された第１天井と、
前記第１天井から垂下する第２吊り下げ部材と、
前記第２吊り下げ部材により吊持された第２天井と、
前記第２吊り下げ部材と前記第２天井とに固定された第１ブレースと、
を備え、
前記第１天井は、
山部と谷部とが交互に設けられた折板と、
前記折板を上下両側から挟む上側部材及び下側部材と、
を有し、
前記上側部材は、前記第１吊り下げ部材により吊持され、
前記折板は、前記上側部材に固定され、
前記下側部材は、前記折板に固定され、
前記下側部材には、貫通孔又は切欠きが形成され、
前記第２吊り下げ部材は、前記貫通孔又は前記切欠きを通り、
前記第１ブレースの上部は、前記第２吊り下げ部材のうち、前記下側部材下の部分に固定されている、天井構造。
【請求項２】
請求項１に記載の天井構造において、
前記下側部材は、前記折板に押圧されて固定され、
前記第２吊り下げ部材は、前記山部を貫通し、
前記第２吊り下げ部材の上部は、前記山部上で前記上側部材に固定されている、天井構造。
【請求項３】
請求項２に記載の天井構造において、
前記谷部は、前記上側部材及び前記下側部材のいずれにも直接接続されていない、天井構造。
【請求項４】
請求項２又は３に記載の天井構造において、
前記下側部材を前記折板に押圧する押圧部材を備えている、天井構造。
【請求項５】
請求項４に記載の天井構造において、
前記第２吊り下げ部材は、
前記第２天井に固定された第１吊りボルトと、
前記第１吊りボルトを前記上側部材に接続する第１接続部材と、
を有し、
前記押圧部材は、前記第１吊りボルトに螺合された第１ナットであり、
前記第１吊りボルトは、前記貫通孔又は前記切欠きを通り、
前記第１接続部材は、前記山部を貫通し、
前記第１吊りボルトの上端部は、前記第１接続部材の下部に固定され、
前記第１接続部材の上部は、前記山部上で前記上側部材に固定され、
前記下側部材は、前記第１ナットにより、前記折板に押圧されて固定され、
前記第１ブレースの上部は、前記第１吊りボルトのうち、前記第１ナット下の部分に固定されている、天井構造。
【請求項６】
請求項５に記載の天井構造において、
前記第１ブレースの上部を、前記第１吊りボルトのうち前記第１ナット下の部分に固定する固定部材を備え、
前記固定部材は、鉛直方向である第１方向において、前記第１ナットと隣り合う、天井構造。
【請求項７】
請求項５又は６に記載の天井構造において、
前記第１天井は、前記折板を上下両側から挟む第１上側山形鋼及び第１下側山形鋼を有し、
前記第１上側山形鋼は、
平面視において第２方向に延在する第１水平板と、
前記第１水平板の幅方向における一方の側の第１側端部上に設けられ、且つ、前記第１水平板に垂直な第１垂直板と、
を含み、
前記第１下側山形鋼は、
平面視において前記第２方向に延在する第２水平板と、
前記第２水平板の幅方向における一方の側の第２側端部下に設けられ、且つ、前記第２水平板に垂直な第２垂直板と、
を含み、
前記第１上側山形鋼は、前記上側部材であり、
前記第２水平板は、前記下側部材であり、
前記第１接続部材は、
前記山部上に設けられ、且つ、前記第１水平板を上下から挟んで固定する第１固定部と、
前記第１固定部下に前記第１固定部と接続されて設けられ、且つ、前記山部を貫通する第１ボルトと、
上部が前記第１ボルトに螺合された第２ナットと、
を含み、
前記第２ナットの下部は、前記第１吊りボルトの上端部に螺合されている、天井構造。
【請求項８】
請求項７に記載の天井構造において、
前記山部及び前記谷部は、平面視において前記第２方向と交差する第３方向に延在し、
前記第２水平板は、前記第２方向に拘束されている、天井構造。
【請求項９】
請求項２乃至８のいずれか一項に記載の天井構造において、
前記第１吊り下げ部材と前記第１天井とに固定された第２ブレースを備え、
前記第１吊り下げ部材は、第２吊りボルトを有し、
前記第２ブレースの上部は、前記第２吊りボルトの上部に固定されている、天井構造。
【請求項１０】
請求項１に記載の天井構造において、
前記第１天井は、前記下側部材に固定され、且つ、前記折板に係止された第１係止部材を有し、
前記第２吊り下げ部材は、前記山部を貫通し、
前記第２吊り下げ部材の上部は、前記山部上で前記上側部材に固定されている、天井構造。
【請求項１１】
請求項１０に記載の天井構造において、
前記第２吊り下げ部材は、
前記第２天井に固定された第３吊りボルトと、
前記第３吊りボルトを前記上側部材に接続する第２接続部材と、
を有し、
前記第３吊りボルトは、前記貫通孔又は前記切欠きを通り、
前記第２接続部材は、前記山部を貫通し、
前記第３吊りボルトの上端部は、前記第２接続部材の下部に固定され、
前記第２接続部材の上部は、前記山部上で前記上側部材に固定されている、天井構造。
【請求項１２】
請求項１１に記載の天井構造において、
前記第１天井は、前記折板を上下両側から挟む第２上側山形鋼及び第２下側山形鋼を有し、
前記第２上側山形鋼は、
平面視において第４方向に延在する第３水平板と、
前記第３水平板の幅方向における一方の側の第３側端部上に設けられ、且つ、前記第３水平板に垂直な第３垂直板と、
を含み、
前記第２下側山形鋼は、
平面視において前記第４方向に延在する第４水平板と、
前記第４水平板の幅方向における一方の側の第４側端部下に設けられ、且つ、前記第４水平板に垂直な第４垂直板と、
を含み、
前記第２上側山形鋼は、前記上側部材であり、
前記第４水平板は、前記下側部材であり、
前記第１係止部材は、前記第４水平板と前記山部との間の空隙を閉塞する面戸であり、
前記第２接続部材は、
前記山部上に設けられ、且つ、前記第３水平板を上下から挟んで固定する第２固定部と、
前記第２固定部下に前記第２固定部と接続されて設けられ、且つ、前記山部を貫通する第２ボルトと、
上部が前記第２ボルトに螺合された第３ナットと、
を含み、
前記第３ナットの下部は、前記第３吊りボルトの上端部に螺合されている、天井構造。
【請求項１３】
請求項１２に記載の天井構造において、
前記山部及び前記谷部は、平面視において前記第４方向と交差する第５方向に延在し、
前記第４水平板は、前記第４方向に拘束されている、天井構造。
【請求項１４】
請求項１０乃至１３のいずれか一項に記載の天井構造において、
前記第１吊り下げ部材と前記第１天井とに固定された第３ブレースを備え、
前記第１吊り下げ部材は、第４吊りボルトを有し、
前記第３ブレースの上部は、前記第４吊りボルトの上部に固定されている、天井構造。
【請求項１５】
請求項１に記載の天井構造において、
前記第１天井は、前記下側部材に固定され、且つ、前記折板に係止された第２係止部材を有し、
前記第２吊り下げ部材は、前記下側部材に固定され、
前記第２係止部材は、前記折板を介して前記上側部材に固定されている、天井構造。
【発明の詳細な説明】
【技術分野】
【０００１】
本発明は、高架構造物下の空間に設けられた建築物の天井構造に関する。
【背景技術】
【０００２】
高架構造物下の空間に設けられた建築物の天井構造としては、快適性の向上又は配管の配置の確保等の観点から、高架構造物であるスラブ、即ち高架橋又は橋桁から吊り下げられた、天井、即ち吊り天井が用いられる。また、高架構造物が当該高架構造物上に鉄道が敷設された鉄道高架構造物である場合には、高架構造物下の空間に設けられた建築物の天井構造は、高架構造物からの漏水対策のため、防水折板としての折板を有する上段天井と、仕上天井即ち化粧天井としての下段天井と、を有する二重天井を備えた天井構造であることが多い。
【０００３】
特開２０１４−５１７９２号公報（特許文献１）には、躯体から屋根材を吊り下げて成る屋根構造において、屋根材側部材に取り付けられる屋根材を備え、屋根材は、折板を備え、屋根材側部材は、屋根材を支持する支持部材を有し、支持部材は、屋根材を貫通する棒ねじを有し、棒ねじは化粧天井を吊り下げ可能である技術が開示されている。
【先行技術文献】
【特許文献】
【０００４】
【特許文献１】特開２０１４−５１７９２号公報
【発明の概要】
【発明が解決しようとする課題】
【０００５】
高架構造物下の空間に設けられた建築物の天井構造としての吊り天井については、以前は構造設計の対象になっていなかった。その後、大地震が発生した際にこのような吊り天井の落下が発生したため、２０１３年７月に建築基準法が改正され、一定条件下での天井構造に対しては、耐震規定が設けられることとなった。ところが、このとき設けられた耐震規定では、二重天井は、原則として適用範囲外である。そのため、鉄道高架下の二重天井の耐震性能を更に高めることが望ましい。
【０００６】
このような二重天井においては、下段天井を、折板を有する上段天井から、折板を貫通する吊り下げ部材により吊り下げることが多い。また、地震発生時等の下段天井の揺れを抑制するために、ブレースが、吊り下げ部材と下段天井とに固定されることが多い。ところが、吊り下げ部材のうちブレースが固定される部分が、吊り下げ部材のうち折板を貫通する部分から下方に離れている場合には、吊り下げ部材のうち折板を貫通する部分に対して水平方向に大きく変位しやすい。そのため、地震が発生し、下段天井に水平方向の荷重が加えられる際に、下段天井が水平方向に変位する変位量が大きくなり、天井構造の耐震性能を容易に高めることが困難である。
【０００７】
本発明は、上述のような従来技術の問題点を解決すべくなされたものであって、高架構造物下の空間に設けられた建築物において、耐震性能を容易に高めることができる天井構造を提供することを目的とする。
【課題を解決するための手段】
【０００８】
本願において開示される発明のうち、代表的なものの概要を簡単に説明すれば、次のとおりである。
【０００９】
本発明の一態様としての天井構造は、高架構造物下の空間に設けられた建築物の天井構造である。当該天井構造は、高架構造物から垂下する第１吊り下げ部材と、第１吊り下げ部材により吊持された第１天井と、第１天井から垂下する第２吊り下げ部材と、第２吊り下げ部材により吊持された第２天井と、第２吊り下げ部材と第２天井とに固定された第１ブレースと、を備えている。第１天井は、山部と谷部とが交互に設けられた折板と、折板を上下両側から挟む上側部材及び下側部材と、を有する。上側部材は、第１吊り下げ部材により吊持され、折板は、上側部材に固定され、下側部材は、折板に固定されている。下側部材には、貫通孔又は切欠きが形成され、第２吊り下げ部材は、貫通孔又は切欠きを通る。そして、第１ブレースの上部は、第２吊り下げ部材のうち、下側部材下の部分に固定されている。
【００１０】
また、他の一態様として、下側部材は、折板に押圧されて固定され、第２吊り下げ部材は、山部を貫通し、第２吊り下げ部材の上部は、山部上で上側部材に固定されていてもよい。
【００１１】
また、他の一態様として、谷部は、上側部材及び下側部材のいずれにも直接接続されていなくてもよい。
【００１２】
また、他の一態様として、当該天井構造は、下側部材を折板に押圧する押圧部材を備えていてもよい。
【００１３】
また、他の一態様として、第２吊り下げ部材は、第２天井に固定された第１吊りボルトと、第１吊りボルトを上側部材に接続する第１接続部材と、を有してもよい。押圧部材は、第１吊りボルトに螺合された第１ナットであってもよい。第１吊りボルトは、貫通孔又は切欠きを通り、第１接続部材は、山部を貫通し、第１吊りボルトの上端部は、第１接続部材の下部に固定され、第１接続部材の上部は、山部上で上側部材に固定されていてもよい。下側部材は、第１ナットにより、折板に押圧されて固定されていてもよい。そして、第１ブレースの上部は、第１吊りボルトのうち、第１ナット下の部分に固定されていてもよい。
【００１４】
また、他の一態様として、当該天井構造は、第１ブレースの上部を、第１吊りボルトのうち第１ナット下の部分に固定する固定部材を備えていてもよい。そして、固定部材は、鉛直方向である第１方向において、第１ナットと隣り合ってもよい。
【００１５】
また、他の一態様として、第１天井は、折板を上下両側から挟む第１上側山形鋼及び第１下側山形鋼を有してもよい。第１上側山形鋼は、平面視において第２方向に延在する第１水平板と、第１水平板の幅方向における一方の側の第１側端部上に設けられ、且つ、第１水平板に垂直な第１垂直板と、を含んでもよい。第１下側山形鋼は、平面視において第２方向に延在する第２水平板と、第２水平板の幅方向における一方の側の第２側端部下に設けられ、且つ、第２水平板に垂直な第２垂直板と、を含んでもよい。第１上側山形鋼は、上側部材であり、第２水平板は、下側部材であってもよい。第１接続部材は、山部上に設けられ、且つ、第１水平板を上下から挟んで固定する第１固定部と、第１固定部下に第１固定部と接続されて設けられ、且つ、山部を貫通する第１ボルトと、上部が第１ボルトに螺合された第２ナットと、を含んでもよい。そして、第２ナットの下部は、第１吊りボルトの上端部に螺合されていてもよい。
【００１６】
また、他の一態様として、山部及び谷部は、平面視において第２方向と交差する第３方向に延在し、第２水平板は、第２方向に拘束されていてもよい。
【００１７】
また、他の一態様として、当該天井構造は、第１吊り下げ部材と第１天井とに固定された第２ブレースを備えていてもよい。そして、第１吊り下げ部材は、第２吊りボルトを有し、第２ブレースの上部は、第２吊りボルトの上部に固定されていてもよい。
【００１８】
また、他の一態様として、第１天井は、下側部材に固定され、且つ、折板に係止された第１係止部材を有し、第２吊り下げ部材は、山部を貫通し、第２吊り下げ部材の上部は、山部上で上側部材に固定されていてもよい。
【００１９】
また、他の一態様として、第２吊り下げ部材は、第２天井に固定された第３吊りボルトと、第３吊りボルトを上側部材に接続する第２接続部材と、を有してもよい。第３吊りボルトは、貫通孔又は切欠きを通り、第２接続部材は、山部を貫通し、第３吊りボルトの上端部は、第２接続部材の下部に固定され、第２接続部材の上部は、山部上で上側部材に固定されていてもよい。
【００２０】
また、他の一態様として、第１天井は、折板を上下両側から挟む第２上側山形鋼及び第２下側山形鋼を有してもよい。第２上側山形鋼は、平面視において第４方向に延在する第３水平板と、第３水平板の幅方向における一方の側の第３側端部上に設けられ、且つ、第３水平板に垂直な第３垂直板と、を含んでもよい。第２下側山形鋼は、平面視において第４方向に延在する第４水平板と、第４水平板の幅方向における一方の側の第４側端部下に設けられ、且つ、第４水平板に垂直な第４垂直板と、を含んでもよい。第２上側山形鋼は、上側部材であり、第４水平板は、下側部材であってもよい。第１係止部材は、第４水平板と山部との間の空隙を閉塞する面戸であってもよい。第２接続部材は、山部上に設けられ、且つ、第３水平板を上下から挟んで固定する第２固定部と、第２固定部下に第２固定部と接続されて設けられ、且つ、山部を貫通する第２ボルトと、上部が第２ボルトに螺合された第３ナットと、を含んでもよい。そして、第３ナットの下部は、第３吊りボルトの上端部に螺合されていてもよい。
【００２１】
また、他の一態様として、山部及び谷部は、平面視において第４方向と交差する第５方向に延在し、第４水平板は、第４方向に拘束されていてもよい。
【００２２】
また、他の一態様として、当該天井構造は、第１吊り下げ部材と第１天井とに固定された第３ブレースを備えていてもよい。そして、第１吊り下げ部材は、第４吊りボルトを有し、第３ブレースの上部は、第４吊りボルトの上部に固定されていてもよい。
【００２３】
また、他の一態様として、第１天井は、下側部材に固定され、且つ、折板に係止された第２係止部材を有し、第２吊り下げ部材は、下側部材に固定され、第２係止部材は、折板を介して上側部材に固定されていてもよい。
【発明の効果】
【００２４】
本発明の一態様を適用することで、高架構造物下の空間に設けられた建築物の天井構造において、耐震性能を容易に高めることができる。
【図面の簡単な説明】
【００２５】
【図１】比較例の天井構造を示す断面図である。
【図２】比較例の天井構造を示す断面図である。
【図３】実施の形態１の天井構造を示す断面図である。
【図４】実施の形態１の天井構造を示す断面図である。
【図５】実施の形態１の天井構造を示す断面図である。
【図６】実際の高架構造物に代えて試験用に加振可能な構造物下の空間に実施の形態１の天井構造及び比較例の天井構造を設置した場合において、水平方向に印加される荷重を変化させたときの水平方向の変位量の荷重依存性の一例を示すグラフである。
【図７】実施の形態１の変形例の天井構造を示す断面図である。
【図８】実施の形態２の天井構造を示す断面図である。
【図９】実施の形態２の天井構造に備えられた上段天井が有する係止部材の一例を示す斜視図である。
【図１０】実施の形態２の天井構造に備えられた上段天井が有する係止部材の他の例を示す斜視図である。
【図１１】実施の形態２の変形例の天井構造を示す断面図である。
【発明を実施するための形態】
【００２６】
以下に、本発明の各実施の形態について、図面を参照しつつ説明する。
【００２７】
なお、開示はあくまで一例にすぎず、当業者において、発明の主旨を保っての適宜変更について容易に想到し得るものについては、当然に本発明の範囲に含有されるものである。また、図面は説明をより明確にするため、実施の態様に比べ、各部の幅、厚さ、形状等について模式的に表される場合があるが、あくまで一例であって、本発明の解釈を限定するものではない。
【００２８】
また本明細書と各図において、既出の図に関して前述したものと同様の要素には、同一の符号を付して、詳細な説明を適宜省略することがある。
【００２９】
更に、実施の形態で用いる図面においては、構造物を区別するために付したハッチング（網掛け）を図面に応じて省略する場合もある。
【００３０】
（実施の形態１）
＜天井構造＞
本発明の一実施形態である実施の形態１の天井構造について、比較例の天井構造と比較しながら説明する。本実施の形態１の天井構造及び比較例の天井構造は、高架構造物下の空間に設けられた建築物の天井構造である。
【００３１】
高架構造物下の空間に設けられた建築物の天井構造としては、快適性の向上又は配管の配置の確保等の観点から、高架構造物であるスラブ、即ち高架橋又は橋桁から吊り下げられた、天井、即ち吊り天井が用いられる。また、高架構造物が当該高架構造物上に鉄道が敷設された鉄道高架構造物である場合には、高架構造物下の空間に設けられた建築物の天井構造は、高架構造物からの漏水対策のため、防水折板としての折板を有する上段天井と、仕上天井である下段天井と、を有する二重天井を備えた天井構造であることが多い。以下で説明する本実施の形態１の天井構造及び比較例の天井構造も、高架構造物下の空間に設けられた建築物の天井構造として、二重天井を備えた天井構造である。
【００３２】
図１及び図２は、比較例の天井構造を示す断面図である。図３乃至図５は、実施の形態１の天井構造を示す断面図である。図２は、図１に示す断面図のうち二点鎖線で囲まれた領域ＡＲ１０１を拡大して示す。図４及び図５は、図３に示す断面図のうち二点鎖線で囲まれた領域ＡＲ１を拡大して示す。図４は、図３に示す断面に垂直な方向と同一の方向に垂直な断面を示し、図５は、水平面内において、図３に示す断面に垂直な方向と直交する方向に垂直な断面を示す。なお、図５では、理解を簡単にするために、ブレース６及び固定部材６１の図示を省略している。また、比較例の天井構造を示す図１及び図２のうち、本実施の形態１の天井構造を示す図３乃至図５と同様の要素には、同一の符号を付して、詳細な説明を適宜省略する。
【００３３】
初めに、本実施の形態１の天井構造のうち、比較例の天井構造と同様の部分、即ち、比較例の天井構造のうち、本実施の形態１の天井構造と同様の部分について説明する。
【００３４】
図１乃至図５に示すように、本実施の形態１の天井構造は、比較例の天井構造と同様に、吊り下げ部材１と、上段天井２と、吊り下げ部材３と、下段天井４と、ブレース５と、ブレース６と、を備えている。吊り下げ部材１は、高架構造物７から垂下する。吊り下げ部材１として、例えば吊りボルト１１を用いることができる。即ち、吊り下げ部材１は、吊りボルト１１を有する。上段天井２は、吊り下げ部材１により吊持されている。吊り下げ部材３は、上段天井２から垂下する。下段天井４は、吊り下げ部材３により吊持されている。ブレース５は、地震発生時等の上段天井２の揺れを抑制するものであり、吊り下げ部材１と上段天井２とに固定されている。吊り下げ部材１が吊りボルト１１を有する場合、ブレース５の上部は、吊りボルト１１の上部に固定されている。ブレース６は、地震発生時等の下段天井４の揺れを抑制するものであり、吊り下げ部材３と下段天井４とに固定されている。
【００３５】
本実施の形態１の天井構造が、このような上段天井２と下段天井４とを有する二重天井を備えていることにより、前述したように、本実施の形態１の天井構造が鉄道高架下に設けられる場合にも、高架構造物である高架橋の漏水対策を行うことができる。
【００３６】
上段天井２は、山部２１ａと谷部２１ｂとが交互に設けられた折板２１と、折板２１上に設けられた上側部材２２と、を有する。即ち、折板２１は、平面視においてある方向（第３方向）にそれぞれ延在する複数の山部２１ａと複数の谷部２１ｂとを有し、それらの複数の山部２１ａの各々と複数の谷部２１ｂの各々とが、複数の山部２１ａ及び複数の谷部２１ｂが延在する方向と平面視で交差、好適には直交する方向（第２方向）において、交互に配置されている。このような折板２１を、例えばガルバリウム鋼板（登録商標）等の金属板を波状形状を有するように折曲することにより、容易に形成することができる。また、単なる平板ではなく折板２１を用いることにより、上段天井２の強度を強くすることができる。
【００３７】
上側部材２２は、吊り下げ部材１により吊持されている。一方、吊り下げ部材３は、折板２１の山部２１ａを貫通し、吊り下げ部材３の上部は、山部２１ａ上で上側部材２２に固定されている。具体的には、折板２１の山部２１ａには貫通孔２１ｃが形成され、吊り下げ部材３は、吊り下げ部材３が折板２１の山部２１ａに形成された貫通孔２１ｃを通ることにより、山部２１ａを貫通する。また、本願明細書において、上部とは、鉛直方向における上端位置と下端位置との間の中間位置よりも上方に位置する部分を意味する。
【００３８】
なお、後述する地震の際の下段天井４の水平方向の変位量を小さくして耐震性能を高めるという観点からは、本実施の形態１の天井構造及び比較例の天井構造は、ブレース５を備えていてもよいが、ブレース５を備えていなくてもよい。
【００３９】
また、本実施の形態１の天井構造は、比較例の天井構造と同様に、吊り下げ部材３とは異なる部材であって、折板２１の山部２１ａを上側部材２２に押圧して固定する固定部材８を備えている。
【００４０】
次に、比較例の天井構造のうち、本実施の形態１の天井構造と異なる部分について説明する。
【００４１】
図１及び図２に示す比較例の天井構造では、図３乃至図５に示す本実施の形態１の天井構造と異なり、折板２１下には下側部材２３（図３参照）が設けられておらず、上段天井２は、折板２１と上側部材２２とのみを有する。そのため、以下に説明するように、天井構造の耐震性能を高めることができない。
【００４２】
前述したように、吊り下げ部材３は、山部２１ａを貫通し、吊り下げ部材３の上部は、山部２１ａ上で上側部材２２に固定されている。一方、前述したように、比較例の天井構造では、本実施の形態１の天井構造と同様に、下段天井４の揺れを抑制するために、ブレース６が設けられている。
【００４３】
谷部２１ｂに貫通孔が形成され、吊り下げ部材３が谷部２１ｂを貫通する場合、高架構造物である高架橋からの漏水が谷部２１ｂに形成された貫通孔を通って下へ漏れるため、折板２１の防水性能を向上させることができない。従って、吊り下げ部材３が、山部２１ａを貫通することにより、吊り下げ部材３が谷部２１ｂを貫通しなくて済むため、高架構造物である高架橋からの漏水対策として折板２１の防水性能を向上させることができる。
【００４４】
ところが、比較例の天井構造では、折板２１の谷部２１ｂとブレース６との干渉を防止するために、山部２１ａを貫通した吊り下げ部材３のうちブレース６の上部が固定される部分は、吊り下げ部材３のうち山部２１ａを貫通する部分から下方に離れている。そのため、吊り下げ部材３のうちブレース６の上部が固定される部分が、吊り下げ部材３のうち山部２１ａを貫通する部分に対して水平方向に大きく変位しやすい。従って、地震が発生し、下段天井４に水平方向の荷重が加えられる際に、下段天井４が水平方向に変位する変位量が極めて大きくなり、天井構造の耐震性能を容易に高めることが極めて困難である。
【００４５】
一方、図３乃至図５に示す本実施の形態１の天井構造では、図１及び図２に示す比較例の天井構造と異なり、上段天井２は、折板２１及び上側部材２２に加えて、折板２１下に設けられた下側部材２３を有する。即ち、上側部材２２及び下側部材２３は、折板２１を上下両側から挟む。折板２１は、上側部材２２に固定され、下側部材２３は、折板２１に押圧されて固定されている。即ち、下側部材２３は、折板２１を介して上側部材２２に固定されている。なお、下側部材２３は、折板２１の谷部２１ｂに押圧されて固定されている。
【００４６】
吊り下げ部材３は、下側部材２３を貫通する。具体的には、下側部材２３には貫通孔２３ａが形成され、吊り下げ部材３は、吊り下げ部材３が下側部材２３に形成された貫通孔２３ａを通ることにより、下側部材２３を貫通する。また、ブレース６の上部は、吊り下げ部材３のうち、下側部材２３下の部分に固定されている。
【００４７】
これにより、地震が発生し、下段天井４に水平方向の荷重が加えられた場合でも、吊り下げ部材３が下側部材２３に形成された貫通孔２３ａの範囲内で水平方向に拘束され、また、下側部材２３が折板２１に押圧されて水平方向に拘束される。そのため、吊り下げ部材３のうちブレース６の上部が固定される部分が、比較例に比べて、吊り下げ部材３のうち山部２１ａを貫通する部分に対して水平方向に変位しにくくなる。言い換えれば、下側部材２３と折板２１の谷部２１ｂとの間に摩擦力が働くことにより、下側部材２３の水平方向（後述する水平板２５ａが延在する方向（第２方向））における位置ずれが規制され、下側部材２３が、当該水平方向に位置ずれしないように拘束される。そのため、吊り下げ部材３のうちブレース６の上部が固定される部分が、当該水平方向に変位しにくくなる。従って、地震が発生し、下段天井４に水平方向の荷重が加えられる際に、下段天井４が水平方向に変位する変位量を小さくすることができ、天井構造の耐震性能を高めることができる。
【００４８】
平面視における貫通孔２３ａの直径は、吊り下げ部材３の直径よりは大きいものの、吊り下げ部材３の直径になるべく近いことが好ましい。
【００４９】
これにより、吊り下げ部材３が貫通孔２３ａにより水平方向に略完全に拘束されるので、吊り下げ部材３のうちブレース６の上部が固定される部分が、比較例に比べて、吊り下げ部材３のうち山部２１ａを貫通する部分に対して水平方向に殆ど変位することができない。そのため、地震が発生し、下段天井４に水平方向の荷重が加えられる際に、下段天井４が水平方向に変位する変位量を極めて小さくすることができ、天井構造の耐震性能を更に高めることができる。
【００５０】
なお、図３乃至図５に示す例では、吊り下げ部材３は、吊り下げ部材３が下側部材２３に形成された貫通孔２３ａを通ることにより、下側部材２３を貫通する場合を例示して説明する。しかし、下側部材２３には、貫通孔２３ａに代えて、平面視においてＵ字形状を有する切欠きが形成されていてもよく、吊り下げ部材３は、切欠きを通ってもよい。このような場合でも、下側部材２３に貫通孔２３ａが形成されている場合と同様に、下段天井４に水平方向の荷重が加えられた場合でも、吊り下げ部材３が切欠きの範囲内で水平方向に拘束され、また下側部材２３は折板２１に押圧されるので、吊り下げ部材３のうちブレース６の上部が固定される部分が、比較例に比べて、吊り下げ部材３のうち山部２１ａを貫通する部分に対して水平方向に変位しにくくなる。
【００５１】
好適には、折板２１の谷部２１ｂは、上側部材２２及び下側部材２３のいずれにも直接接続されていない。
【００５２】
折板２１の谷部２１ｂが、上側部材２２及び下側部材２３のいずれかに直接接続される場合には、谷部２１ｂに貫通孔が形成され、高架構造物である高架橋からの漏水が谷部２１ｂに形成された貫通孔を通って下へ漏れるため、折板２１の防水性能を向上させることができない。一方、折板２１の谷部２１ｂが、上側部材２２及び下側部材２３のいずれにも直接接続されない場合には、谷部２１ｂに貫通孔が形成されないので、折板２１の防水性能を向上させることができる。
【００５３】
次に、図３乃至図５を参照し、本実施の形態１の天井構造の好適な形態について、説明する。
【００５４】
好適には、本実施の形態１の天井構造は、下側部材２３を折板２１を介して上側部材２２に押圧する押圧部材３１を備えている。また、押圧部材３１は、下側部材２３を折板２１に押圧する。これにより、折板２１を上下両側から上側部材２２と下側部材２３とにより挟んで固定することができる。
【００５５】
好適には、吊り下げ部材３は、吊りボルト３２と、接続部材３３と、を有する。吊りボルト３２の下部は、下段天井４に固定されている。接続部材３３は、吊りボルト３２を上側部材２２に接続する。即ち、吊りボルト３２は、接続部材３３を介して上側部材２２に接続されている。押圧部材３１として、例えば吊りボルト３２に螺合されたナット３１ａを用いることができる。吊りボルト３２は、下側部材２３に形成された貫通孔２３ａを通ることにより、下側部材２３を貫通する。接続部材３３は、折板２１の山部２１ａを貫通する。吊りボルト３２の上端部は、下側部材２３と山部２１ａとの間で接続部材３３の下部に固定されている。接続部材３３の上部は、山部２１ａ上で上側部材２２に固定されている。下側部材２３は、ナット３１ａにより、折板２１を介して上側部材２２に押圧されて固定されている。ブレース６の上部は、吊りボルト３２のうち、ナット３１ａ下の部分に固定されている。また、本願明細書において、下部とは、鉛直方向における上端位置と下端位置との間の中間位置よりも下方に位置する部分を意味する。
【００５６】
このような場合、接続部材３３を介して上側部材２２に接続された吊りボルト３２に螺合されたナット３１ａにより、折板２１を上下両側から上側部材２２と下側部材２３とにより挟んで固定することができる。なお、吊りボルト３２が、下側部材２３に形成された切欠きを通ってもよい。
【００５７】
好適には、本実施の形態１の天井構造は、ブレース６の上部を、吊りボルト３２のうちナット３１ａ下の部分に固定する固定部材６１を備えている。固定部材６１は、鉛直方向（第１方向）において、ナット３１ａと隣り合う。
【００５８】
比較例の天井構造が、本実施の形態１の天井構造と同様に、固定部材６１を備えている場合を考える。しかし、比較例では、吊り下げ部材３のうち水平方向に拘束されている部分は、吊り下げ部材３即ち接続部材３３のうち、折板２１の山部２１ａに形成された貫通孔２１ｃ内に配置された部分である。そのため、比較例では、吊り下げ部材３即ち吊りボルト３２のうち、ブレース６の上部が固定されている部分が、吊り下げ部材３のうち水平方向に拘束されている部分から離れている。従って、地震が発生し、下段天井４に水平方向の荷重が加えられる際に、吊りボルト３２のうち、ブレース６の上部が固定されている部分の水平方向における変位量が大きくなり、天井構造の耐震性能を高めることができない。
【００５９】
一方、本実施の形態１の天井構造では、上段天井２が下側部材２３を有し、吊りボルト３２が下側部材２３を貫通するため、吊りボルト３２のうち、下側部材２３を貫通する部分は、水平方向に拘束されている。そのため、固定部材６１が鉛直方向においてナット３１ａと隣り合うことにより、吊りボルト３２のうちブレース６の上部が固定されている部分が、吊り下げ部材３のうち水平方向に拘束されている部分に近づく。そのため、地震が発生し、下段天井４に水平方向の荷重が加えられる際に、吊りボルト３２のうちブレース６の上部が固定されている部分の水平方向における変位量を小さくすることができ、天井構造の耐震性能を高めることができる。
【００６０】
なお、本願明細書において、固定部材６１が、鉛直方向においてナット３１ａと隣り合うとは、固定部材６１が、鉛直方向においてナット３１ａと接触する場合、又は、鉛直方向において、固定部材６１の上端部と、ナット３１ａの下端部との距離が、例えば吊りボルト３２の直径以下である場合を意味する。
【００６１】
固定部材６１は、本体部材６２と、連結部材６３と、取り付けボルト部材６４と、を有する。
【００６２】
本体部材６２は、固定部材６１を吊りボルト３２に対してネジ固定する。本体部材６２として、例えば吊りボルト３２が螺挿される縦ネジ穴を有する六角の高ナット６２ａを用いることができる。連結部材６３は、本体部材６２と取り付けボルト部材６４とを連結する。取り付けボルト部材６４は、ブレース６の上部にボルト６５を取り付ける。ブレース６の上部に取り付けられた取り付けボルト部材６４のブレース６側と反対側の端部には、ボルト６５が設けられており、当該ボルト６５が連結部材６３に形成されたネジ穴６３ａに螺挿されることにより、ブレース６は、取り付けボルト部材６４、連結部材６３及び本体部材６２を介して、吊りボルト３２に固定されている。
【００６３】
好適には、本実施の形態１の天井構造では、上段天井２は、折板２１を上下両側から挟む、上側山形鋼としてのアングル２４、及び、下側山形鋼としてのアングル２５を有する。
【００６４】
アングル２４は、平面視においてある方向（第２方向）に延在する水平板２４ａと、水平板２４ａの幅方向、即ち水平板２４ａが延在する方向（第２方向）と平面視において直交する方向における一方の側の側端部２４ｂ上に設けられ、且つ、水平板２４ａに垂直な垂直板２４ｃと、を含む。垂直板２４ｃは、水平板２４ａが延在する方向（第２方向）に延在する。また、前述した上側部材２２は、アングル２４である。このようなアングル２４においては、アングル２４の延在方向に垂直な方向から加えられる応力に対する強度が強い。そのため、上側部材２２としてアングル２４を用いることにより、上段天井２の強度を強くすることができる。
【００６５】
一方、アングル２５は、平面視においてアングル２４の水平板２４ａが延在する方向と同一の方向（第２方向）に延在する水平板２５ａと、水平板２５ａの幅方向、即ち平面視において水平板２５ａが延在する方向（第２方向）と平面視において直交する方向における一方の側の側端部２５ｂ下に設けられ、且つ、水平板２５ａに垂直な垂直板２５ｃと、を含む。垂直板２５ｃは、水平板２５ａが延在する方向（第２方向）に延在する。また、前述した下側部材２３は、アングル２５の水平板２５ａである。このようなアングル２５においては、アングル２５の延在方向に垂直な方向から加えられる応力に対する強度が強い。そのため、下側部材２３としてアングル２５の水平板２５ａを用いることにより、上段天井２の強度を強くすることができる。
【００６６】
好適には、本実施の形態１の天井構造では、接続部材３３は、固定部３３ａと、ボルト３３ｂと、ナット３３ｃと、を含む。固定部３３ａは、折板２１の山部２１ａ上に設けられ、且つ、水平板２４ａを上下から挟んで固定する。ボルト３３ｂは、固定部３３ａ下に固定部３３ａと接続されて設けられ、且つ、折板２１の山部２１ａに形成された貫通孔２１ｃを通ることにより山部２１ａを貫通する。ナット３３ｃの上部は、ボルト３３ｂに螺合されている。ナット３３ｃの下部は、吊りボルト３２の上端部に螺合されている。このとき、吊りボルト３２は、アングル２５の水平板２５ａに形成された貫通孔２３ａを通ることにより水平板２５ａを貫通し、水平板２５ａは、ナット３１ａにより、折板２１を介して、上側部材２２、即ちアングル２４の水平板２４ａに押圧されて固定されている。
【００６７】
これにより、吊りボルト３２を、ナット３３ｃ、ボルト３３ｂ及び固定部３３ａを介してアングル２４に固定することができる。
【００６８】
固定部３３ａとボルト３３ｂとを含む部材として、シートスタット３３ｄを用いることができ、このような場合、固定部３３ａは、シートスタット３３ｄの固定部であり、ボルト３３ｂは、シートスタット３３ｄのボルトである。また、ナット３３ｃとして高ナットを用いることができる。
【００６９】
本実施の形態１の天井構造では、固定部材８は、固定部８３ａと、ボルト８３ｂと、ナット８３ｃと、を有する。固定部８３ａは、折板２１の山部２１ａ上に設けられ、且つ、水平板２４ａを上下から挟んで固定する。ボルト８３ｂは、固定部８３ａ下に固定部８３ａと接続されて設けられ、且つ、折板２１の山部２１ａに形成された貫通孔２１ｃを通ることにより山部２１ａを貫通する。ナット８３ｃは、ボルト８３ｂに螺合されている。固定部８３ａは、シートスタット８３ｄの固定部であり、ボルト８３ｂは、シートスタット８３ｄのボルトである。ボルト８３ｂに螺合されたナット８３ｃにより、折板２１の山部２１ａを、上側部材２２であるアングル２４に押圧して固定することができる。
【００７０】
折板２１の山部２１ａ及び谷部２１ｂは、平面視において水平板２４ａ及び水平板２５ａが延在する方向（第２方向）と交差、好適には直交する方向（第３方向）に延在することが好ましい。このとき、下側部材２３は、水平板２５ａが延在する方向（第２方向）に拘束されることになる。
【００７１】
このような場合、１本の上側部材２２が、互いに間隔を空けて配置された複数の山部２１ａの各々とそれぞれ固定部３３ａを介して接触し、１本の下側部材２３が、互いに間隔を空けて配置された複数の谷部２１ｂと接触した状態で、折板２１の上下両側から上側部材２２及び下側部材２３により折板２１を挟んで固定することができる。
【００７２】
折板２１では、平面視において山部２１ａ及び谷部２１ｂが延在する方向と直交する方向における一方の側の側端部を固定端としたときの剛性は、平面視において山部２１ａ及び谷部２１ｂが延在する方向における一方の側の側端部を固定端としたときの剛性に比べて低い。一方、折板２１の上下両側から、山部２１ａ及び谷部２１ｂが延在する方向と直交する方向にそれぞれ延在する上側部材２２及び下側部材２３により折板２１を挟んで固定することにより、平面視において山部２１ａ及び谷部２１ｂが延在する方向と直交する方向における一方の側の側端部を固定端としたときの、上段天井２全体の剛性を高めることができる。
【００７３】
なお、前述したように、本実施の形態１の天井構造は、吊り下げ部材１と上段天井２とに固定されたブレース５を、備えていても備えていなくてもよい。このような場合でも、本実施の形態１の天井構造は、比較例の天井構造に比べれば、耐震性能を容易に高めることができる。
【００７４】
しかし、本実施の形態１の天井構造がブレース５を備えている場合、本実施の形態１の天井構造がブレース５を備えていない場合に比べ、地震が発生し、下段天井４に水平方向の荷重が加えられる際に、下段天井４が水平方向に変位する変位量を小さくすることができ、天井構造の耐震性能を高めることができる。また、吊り下げ部材１は、吊りボルト１１であることが好ましく、ブレース５の上部は、吊りボルト１１の上部に固定されていることが好ましい。
【００７５】
また、本実施の形態１の天井構造では、下段天井４は、天井板材４１と、野縁４２と、野縁受け４３と、を有してもよい。野縁４２は、天井板材４１上に設けられ、平面視においてある方向に延在する。野縁受け４３は、野縁４２上に設けられ、平面視において野縁４２が延在する方向と交差、好適には直交する方向に延在する。このような場合、ブレース６の下部は、野縁受け４３に固定されていてもよい。
【００７６】
図６は、実際の高架構造物に代えて試験用に加振可能な構造物下の空間に実施の形態１の天井構造及び比較例の天井構造を設置した場合において、水平方向に印加される荷重を変化させたときの水平方向の変位量の荷重依存性の一例を示すグラフである。
【００７７】
試験用に加振可能な構造物下の空間に、図３乃至図５に示す本実施の形態１の天井構造、並びに、図１及び図２に示す比較例の天井構造を設置した場合を考える。
【００７８】
例えば垂直方向における試験用の構造物（高架構造物７に相当）の下面から折板２１の上面までの距離（図１及び図３の距離ＤＳ１）を１５００ｍｍとし、折板２１の上面から下段天井４の下面までの距離（図１及び図３の距離ＤＳ２）を５００ｍｍとする。上側部材２２即ちアングル２４（図４参照）の延在方向において互いに隣り合う２つの吊りボルト１１の中心間距離（図１及び図３の距離ＤＳ３）を９００ｍｍとし、下側部材２３即ちアングル２５の水平板２５ａ（図４参照）の延在方向において互いに隣り合う２つの吊り下げ部材３の中心間距離（図１及び図３の距離ＤＳ４）を８００ｍｍとする。アングル２４の水平板２４ａの幅を６５ｍｍとし、アングル２４の垂直板２４ｃの高さを６５ｍｍとし、アングル２４の水平板２４ａ及び垂直板２４ｃの各々の厚さを６ｍｍとする。また、アングル２５の水平板２５ａの幅を６５ｍｍとし、アングル２５の垂直板２５ｃの高さを６５ｍｍとし、アングル２５の水平板２５ａ及び垂直板２５ｃの各々の厚さを６ｍｍとする。また、折板２１を形成する複数の折板部材の各々について、折板２１を形成するガルバリウム鋼板（登録商標）の厚さを０．６ｍｍとし、折板２１の高さ、即ち鉛直方向における谷部に対する山部の高さを８５ｍｍとする。
【００７９】
このような形状を有する２つの天井構造について、構造物に水平方向に荷重を印加し、水平方向に印加される荷重を変化させたときの、下段天井の水平方向の変位量の荷重依存性を測定している。このとき、図６に示すように、比較例の天井構造における水平方向の変位量を１００％としたときに、本実施の形態１の天井構造における水平方向の変位量は７１％に減少している。そのため、本実施の形態１の天井構造により、地震が発生し、下段天井に水平方向の荷重が加えられる際に、下段天井が水平方向に変位する変位量を小さくすることができ、天井構造の耐震性能を高められることが明らかになっている。
【００８０】
＜天井構造の変形例＞
実施の形態１の天井構造では、下側部材２３を折板２１を介して上側部材２２に押圧する押圧部材３１が、吊りボルト３２に螺合されたナット３１ａである場合について説明した。しかし、押圧部材３１は、吊りボルト３２に螺合されたナットでなくてもよい。以下では、押圧部材３１が、下側部材２３を折板２１を介して上側部材２２に押圧するものの、吊りボルト３２には螺合されておらず、吊りボルト３２とは異なるボルトに螺合されている例について説明する。
【００８１】
図７は、実施の形態１の変形例の天井構造を示す断面図である。図７は、図４に示す断面に垂直な方向と同一の方向に垂直な断面を示し、図４と同様に、図３に示す断面図のうち一部を拡大して示す。
【００８２】
図７に示すように、本変形例の天井構造は、吊り下げ部材３とは異なる部材であって、折板２１を固定する固定部材９を備えている。
【００８３】
固定部材９は、ボルト９１と、接続部材９２と、を有する。接続部材９２は、ボルト９１を上側部材２２に接続する。押圧部材３１は、ボルト９１に螺合されたナット９３である。ボルト９１は、下側部材２３に形成された貫通孔２３ａを通ることにより下側部材２３を貫通する。接続部材９２は、折板２１の山部２１ａに形成された貫通孔２１ｃを通ることにより山部２１ａを貫通する。ボルト９１の上端部は、下側部材２３と山部２１ａとの間で接続部材９２の下部に固定されている。接続部材９２の上部は、山部２１ａ上で上側部材２２に固定されている。下側部材２３は、ナット９３により、折板２１を介して上側部材２２に押圧されて固定されている。このような場合、接続部材９２を介して上側部材２２に接続されたボルト９１に螺合されたナット９３により、折板２１を上下両側から上側部材２２と下側部材２３とにより挟んで固定することができる。
【００８４】
なお、下側部材２３には、貫通孔２３ａに代えて、平面視においてＵ字形状を有する切欠きが形成されていてもよく、ボルト９１は、切欠きを通ってもよい。
【００８５】
好適には、本変形例の天井構造では、接続部材９２は、固定部９２ａと、ボルト９２ｂと、ナット９２ｃと、を含む。固定部９２ａは、折板２１の山部２１ａ上に設けられ、且つ、水平板２４ａを上下から挟んで固定する。ボルト９２ｂは、固定部９２ａ下に設けられ、且つ、折板２１の山部２１ａを貫通する。ナット９２ｃは、ボルト９２ｂに螺合されている。固定部９２ａは、シートスタット９２ｄの固定部であり、ボルト９２ｂは、シートスタット９２ｄのボルトである。ボルト９２ｂに螺合されたナット９２ｃにより、折板２１の山部２１ａを、上側部材２２であるアングル２４に押圧して固定することができる。
【００８６】
本変形例でも、実施の形態１と同様に、吊り下げ部材３のうちブレース６の上部が固定される部分が、比較例に比べて、吊り下げ部材３のうち山部２１ａを貫通する部分に対して水平方向に変位しにくくなる。そのため、地震が発生し、下段天井４に水平方向の荷重が加えられる際に、下段天井４が水平方向に変位する変位量を小さくすることができ、天井構造の耐震性能を高めることができる。
【００８７】
本変形例では、吊りボルト３２には、ナット３１ａ（図４参照）は、螺合されていなくてもよい。このとき、ブレース６の上部を、吊りボルト３２のうち下側部材２３下の部分に固定する固定部材６１は、鉛直方向において、下側部材２３であるアングル２５の水平板２５ａと隣り合う。
【００８８】
（実施の形態２）
実施の形態１の天井構造では、下側部材２３は、折板２１に押圧されることにより水平方向に拘束されていた。一方、下側部材２３が例えば面戸である係止部材に固定され、係止部材が折板２１に係止されることにより、下側部材２３が水平方向に拘束されてもよい。このような例を、実施の形態２の天井構造として説明する。本実施の形態２の天井構造も、実施の形態１の天井構造と同様に、高架構造物下の空間に設けられた建築物の天井構造である。
【００８９】
本実施の形態２の天井構造のうち、上段天井２以外の各部分は、前述した図３を用いて説明した実施の形態１の天井構造に備えられた各部分と同様にすることができ、その説明を省略する。即ち、本実施の形態２の天井構造も、実施の形態１の天井構造と同様に、吊り下げ部材１と、上段天井２と、吊り下げ部材３と、下段天井４と、ブレース５と、ブレース６と、を有するが、上段天井２以外の部分、即ち、吊り下げ部材１、吊り下げ部材３、下段天井４、ブレース５及びブレース６についての説明を省略する。なお、ブレース５は、地震発生時等の上段天井２の揺れを抑制するものであり、吊り下げ部材１と上段天井２とに固定されている。吊り下げ部材１が吊りボルト１１を有する場合、ブレース５の上部は、吊りボルト１１の上部に固定されている。
【００９０】
図８は、実施の形態２の天井構造を示す断面図である。図８は、本実施の形態２の天井構造において、実施の形態１で図３に示した断面図のうち二点鎖線で囲まれた領域ＡＲ１に対応した領域を拡大して示す。図９は、実施の形態２の天井構造に備えられた上段天井が有する係止部材の一例を示す斜視図である。図１０は、実施の形態２の天井構造に備えられた上段天井が有する係止部材の他の例を示す斜視図である。なお、図１０に示す係止部材は、図９に示す係止部材の上部が削除された形状を有する。
【００９１】
図８に示すように、本実施の形態２の天井構造に備えられた上段天井２も、図４に示した実施の形態１の天井構造に備えられた上段天井２と同様に、折板２１と、上側部材２２と、を有する。本実施の形態２の天井構造に備えられた上段天井２が有する折板２１及び上側部材２２については、本実施の形態２の天井構造に備えられた上段天井２が有する折板２１及び上側部材２２と同様にすることができ、その説明を省略する。
【００９２】
本実施の形態２の天井構造に備えられた上段天井２も、実施の形態１の天井構造に備えられた上段天井２と同様に、折板２１及び上側部材２２に加えて、折板２１下に設けられた下側部材２３を有する。即ち、上側部材２２及び下側部材２３は、折板２１を上下両側から挟む。折板２１は、上側部材２２に固定され、下側部材２３は、折板２１に固定されている。即ち、下側部材２３は、折板２１を介して上側部材２２に固定されている。
【００９３】
一方、本実施の形態２の天井構造では、実施の形態１の天井構造と異なり、上段天井２は、下側部材２３に固定され、且つ、折板２１に係止された係止部材２６を有する。係止部材２６として、折板２１の山部２１ａと下側部材２３との間の空隙を閉塞する面戸２７を用いることができる。図８及び図９に示すように、面戸２７は、本体部２７ａと、下底面部２７ｂと、上底面部２７ｃと、２つの斜面部２７ｄと、を有する。本体部２７ａは、下底辺、下底辺よりも短い上底辺、及び、左右両側に配置された２つの斜辺を有する台形形状を備えている。本体部２７ａの下底辺には、下底面部２７ｂが接続され、本体部２７ａの上底辺には、上底面部２７ｃが接続され、本体部２７ａの２つの斜辺の各々には、２つの斜面部２７ｄがそれぞれ接続されている。即ち、面戸２７は、折板２１の山部２１ａと下側部材２３との間の空隙を閉塞することができるような台形形状を備えている。
【００９４】
本実施の形態２でも、実施の形態１と同様に、吊り下げ部材３は、下側部材２３を貫通する。具体的には、下側部材２３には貫通孔２３ａが形成され、吊り下げ部材３は、吊り下げ部材３が下側部材２３に形成された貫通孔２３ａを通ることにより、下側部材２３を貫通する。また、ブレース６の上部は、吊り下げ部材３のうち、下側部材２３下の部分に固定されている。
【００９５】
本実施の形態２でも、実施の形態１と同様に、好適には、折板２１の谷部２１ｂは、上側部材２２及び下側部材２３のいずれにも直接接続されていない。
【００９６】
本実施の形態２でも、実施の形態１と同様に、好適には、吊り下げ部材３は、吊りボルト３２と、接続部材３３と、を有する。吊りボルト３２の下部は、下段天井４（図３参照）に固定されている。接続部材３３は、吊りボルト３２を上側部材２２に接続する。即ち、吊りボルト３２は、接続部材３３を介して上側部材２２に接続されている。吊りボルト３２は、下側部材２３を貫通する。接続部材３３は、折板２１の山部２１ａを貫通する。吊りボルト３２の上端部は、下側部材２３と山部２１ａとの間で接続部材３３の下部に固定されている。接続部材３３の上部は、山部２１ａ上で上側部材２２に固定されている。ブレース６の上部は、吊りボルト３２のうち、ナット３１ａ下の部分に固定されている。
【００９７】
本実施の形態２の天井構造は、実施の形態１の天井構造が備えていた押圧部材３１に代えて、支持部材３１ｂを備えている。支持部材３１ｂとして、例えば吊りボルト３２に螺合されたナット３１ａを用いることができる。また、本実施の形態２では、実施の形態１と異なり、吊りボルト３２に螺合されたナット３１ａにより、折板２１を上下両側から上側部材２２と下側部材２３とにより挟んで固定しなくてもよい。本実施の形態２では、ナット３１ａにより、下側部材２３を支持することにより、下側部材２３の高さ位置を調整することができればよく、ナット３１ａにより支持された下側部材２３により折板２１を押圧しなくてもよい。
【００９８】
本実施の形態２の天井構造も、実施の形態１の天井構造と同様に、好適には、ブレース６の上部を、吊りボルト３２のうちナット３１ａ下の部分に固定する固定部材６１を備えている。固定部材６１は、鉛直方向において、ナット３１ａと隣り合う。また、本実施の形態２でも、実施の形態１と同様に、固定部材６１は、本体部材６２と、連結部材６３と、取り付けボルト部材６４と、を有する。
【００９９】
本実施の形態２でも、実施の形態１と同様に、好適には、上段天井２は、折板２１を上下両側から挟む、上側山形鋼としてのアングル２４、及び、下側山形鋼としてのアングル２５を有する。
【０１００】
アングル２４は、平面視においてある方向（第４方向）に延在する水平板２４ａと、水平板２４ａの幅方向、即ち水平板２４ａが延在する方向（第４方向）と平面視において直交する方向における一方の側の側端部２４ｂ（図５参照）上に設けられ、且つ、水平板２４ａに垂直な垂直板２４ｃと、を含む。垂直板２４ｃは、水平板２４ａが延在する方向（第４方向）に延在する。また、前述した上側部材２２は、アングル２４である。このようなアングル２４においては、アングル２４の延在方向に垂直な方向から加えられる応力に対する強度が強い。そのため、上側部材２２としてアングル２４を用いることにより、上段天井２の強度を強くすることができる。
【０１０１】
一方、アングル２５は、平面視においてアングル２４の水平板２４ａが延在する方向と同一の方向（第４方向）に延在する水平板２５ａと、水平板２５ａの幅方向、即ち平面視において水平板２５ａが延在する方向（第４方向）と平面視において直交する方向における一方の側の側端部２５ｂ（図５参照）下に設けられ、且つ、水平板２５ａに垂直な垂直板２５ｃと、を含む。垂直板２５ｃは、水平板２５ａが延在する方向（第４方向）に延在する。また、前述した下側部材２３は、アングル２５の水平板２５ａである。このようなアングル２５においては、アングル２５の延在方向に垂直な方向から加えられる応力に対する強度が強い。そのため、下側部材２３としてアングル２５の水平板２５ａを用いることにより、上段天井２の強度を強くすることができる。
【０１０２】
本実施の形態２でも、実施の形態１と同様に、好適には、接続部材３３は、固定部３３ａと、ボルト３３ｂと、ナット３３ｃと、を含む。固定部３３ａは、折板２１の山部２１ａ上に設けられ、且つ、水平板２４ａを上下から挟んで固定する。ボルト３３ｂは、固定部３３ａ下に固定部３３ａと接続されて設けられ、且つ、折板２１の山部２１ａに形成された貫通孔２１ｃを通ることにより山部２１ａを貫通する。即ち、接続部材３３、言い換えれば吊り下げ部材３は、山部２１ａを貫通する。ナット３３ｃの上部は、ボルト３３ｂに螺合されている。ナット３３ｃの下部は、吊りボルト３２の上端部に螺合されている。このとき、吊りボルト３２は、下側部材２３としてのアングル２５の水平板２５ａに形成された貫通孔２３ａを通ることにより水平板２５ａを貫通し、水平板２５ａは、ナット３１ａにより、折板２１を介して、上側部材２２、即ちアングル２４の水平板２４ａに押圧されて固定されている。これにより、吊りボルト３２を、ナット３３ｃ、ボルト３３ｂ及び固定部３３ａを介してアングル２４に固定することができる。
【０１０３】
なお、下側部材２３としての水平板２５ａには、貫通孔２３ａに代えて、平面視においてＵ字形状を有する切欠きが形成されていてもよく、吊り下げ部材３は、切欠きを通ってもよい。
【０１０４】
固定部３３ａとボルト３３ｂとを含む部材として、シートスタット３３ｄを用いることができ、このような場合、固定部３３ａは、シートスタット３３ｄの固定部であり、ボルト３３ｂは、シートスタット３３ｄのボルトである。このとき、吊り下げ部材３の上部は、山部２１ａ上で上側部材２２に固定されることになる。また、ナット３３ｃとして高ナットを用いることができる。
【０１０５】
一方、前述したように、本実施の形態２では、実施の形態１と異なり、上段天井２は、係止部材２６を有する。係止部材２６として、図８及び図９に示すように、折板２１の山部２１ａと下側部材２３としての水平板２５ａとの間の空隙を閉塞する面戸２７を用いることができる。前述したように、面戸２７は、本体部２７ａと、下底面部２７ｂと、上底面部２７ｃと、２つの斜面部２７ｄと、を有する。面戸２７は、折板２１の山部２１ａと下側部材２３との間の空隙に嵌合可能な形状を備えており、折板２１の山部２１ａと下側部材２３との間の空隙に嵌合されることにより、折板２１の山部２１ａと下側部材２３との間の空隙を閉塞することができる。
【０１０６】
また、本実施の形態２の天井構造は、実施の形態１の天井構造と異なり、係止部材２６を下側部材２３の水平板２５ａに固定する固定部材２８を備えている。固定部材２８は、ボルト２８ａと、ナット２８ｂと、ナット２８ｃと、を有する。ボルト２８ａは、係止部材２６としての面戸２７の下底面部２７ｂに形成された、平面視においてＵ字形状を有する切欠き２７ｅを通り、下側部材２３に形成された貫通孔２３ａを通ることにより下側部材２３を貫通する。面戸２７の下底面部２７ｂと、下側部材２３とを、ボルト２８ａに螺合されたナット２８ｂとナット２８ｃとにより、上下両側から挟んで固定することができる。なお、係止部材２６として、面戸に代えて、山部と谷部とが交互に設けられたタイトフレームを用い、固定部材２８として、タイトフレームと下側部材２３とを上下両側から挟んで固定する固定部材を用いることもできる。
【０１０７】
吊り下げ部材３は、下側部材２３に形成された貫通孔２３ａを通り、下側部材２３は、係止部材２６に固定され、係止部材２６は、折板２１により水平方向に拘束される。これにより、地震が発生し、下段天井４に水平方向の荷重が加えられた場合でも、吊り下げ部材３が下側部材２３に形成された貫通孔２３ａの範囲内で水平方向に拘束され、また、下側部材２３が折板２１に固定された係止部材２６に係止されて水平方向に拘束される。そのため、本実施の形態２でも、実施の形態１と同様に、吊り下げ部材３のうちブレース６の上部が固定される部分が、比較例に比べて、吊り下げ部材３のうち山部２１ａを貫通する部分に対して水平方向に変位しにくくなる。言い換えれば、係止部材２６が折板２１に係止され、係止部材２６と折板２１との間に係止部材２６の位置ずれを規制する規制力が働くことにより、下側部材２３の水平方向（水平板２５ａが延在する方向（第４方向））における位置ずれが規制される。そのため、吊り下げ部材３のうちブレース６の上部が固定される部分が、当該水平方向に変位しにくくなる。従って、地震が発生し、下段天井４に水平方向の荷重が加えられる際に、下段天井４が水平方向に変位する変位量を小さくすることができ、天井構造の耐震性能を高めることができる。
【０１０８】
なお、ボルト２８ａは、係止部材２６としての面戸２７の下底面部２７ｂに切欠き２７ｅに代えて形成された貫通孔を通ることにより、下底面部２７ｂを貫通してもよい。
【０１０９】
また、図８では図示を省略するが、接続部材３３付近の山部２１ａと、下側部材２３との間には、図１０に示す係止部材２６としての面戸２９が配置されていてもよい。図１０に示すように、面戸２９は、接続部材３３のナット３３ｃと干渉しないように、面戸２７の上部が削除された形状を有する。
【０１１０】
また、本実施の形態２の天井構造は、実施の形態１の天井構造と同様に、吊り下げ部材３とは異なる部材であって、折板２１の山部２１ａを上側部材２２に押圧して固定する固定部材８を備えていてもよい。固定部材８は、固定部８３ａと、ボルト８３ｂと、ナット８３ｃと、を有する。固定部８３ａは、折板２１の山部２１ａ上に設けられ、且つ、水平板２４ａを上下から挟んで固定する。ボルト８３ｂは、固定部８３ａ下に固定部８３ａと接続されて設けられ、且つ、折板２１の山部２１ａに形成された貫通孔２１ｃを通ることにより山部２１ａを貫通する。また、ボルト８３ｂは、係止部材２６である面戸２７の上底面部２７ｃに形成された切欠き２７ｆを通る。ナット８３ｃは、ボルト８３ｂに螺合されている。固定部８３ａは、シートスタット８３ｄの固定部であり、ボルト８３ｂは、シートスタット８３ｄのボルトである。ボルト８３ｂに螺合されたナット８３ｃにより、面戸２７の上底面部２７ｃを、折板２１の山部２１ａを介して、上側部材２２であるアングル２４に押圧して固定することができる。
【０１１１】
折板２１の山部２１ａ及び谷部２１ｂは、平面視において水平板２４ａ及び水平板２５ａが延在する方向（第４方向）と交差、好適には直交する方向（第５方向）に延在することが好ましい。このとき、下側部材２３は、水平板２５ａが延在する方向（第４方向）に拘束されることになる。
【０１１２】
＜天井構造の変形例＞
実施の形態２の天井構造では、吊りボルト３２は、接続部材３３を介して上側部材２２に接続されていた。しかし、吊りボルト３２は、上側部材２２に接続されていなくてもよい。以下では、吊りボルト３２が上側部材２２には接続されていないが、下側部材２３に接続されている例、即ち吊り下げ部材３が、下側部材２３に固定されている例を、実施の形態２の変形例として説明する。
【０１１３】
図１１は、実施の形態２の変形例の天井構造を示す断面図である。図１１は、図８に示す断面に垂直な方向と同一の方向に垂直な断面を示し、図８に示す断面と同様に、実施の形態１で図３に示した断面図のうち二点鎖線で囲まれた領域ＡＲ１に対応した領域を拡大して示す。
【０１１４】
図１１に示すように、本変形例では、実施の形態２と異なり、吊り下げ部材３は、吊りボルト３２を有するが、接続部材３３（図８参照）を有しない。吊りボルト３２の下部は、下段天井４（図３参照）に固定されている。吊りボルト３２は、下側部材２３の水平板２５ａに形成された貫通孔２３ａを通ることにより、下側部材２３を貫通する。下側部材２３を、吊りボルト３２に螺合されたナット３１ａとナット３１ｃとにより、上下両側から挟んで固定することができる。これにより、吊りボルト３２を下側部材２３に接続して固定することができる。
【０１１５】
なお、下側部材２３の水平板２５ａに、貫通孔２３ａに代えて、平面視においてＵ字形状を有する切欠きが形成されていてもよく、吊りボルト３２は、切欠きを通ってもよい。
【０１１６】
本変形例でも、実施の形態２と同様に、上段天井２は、下側部材２３に固定され、且つ、折板２１に係止された係止部材２６を有する。係止部材２６は、折板２１を介して上側部材２２に固定されている。一方、本変形例では、実施の形態２と異なり、吊り下げ部材３は、下側部材２３に固定されている。なお、本変形例の天井構造も、実施の形態２の天井構造と同様に、係止部材２６を下側部材２３の水平板２５ａに固定する固定部材２８と、折板２１の山部２１ａを上側部材２２に押圧して固定する固定部材８と、を備えていてもよい。
【０１１７】
本変形例でも、実施の形態２と同様に、吊り下げ部材３が下側部材２３に形成された貫通孔２３ａの範囲内で水平方向に拘束されるので、吊り下げ部材３のうちブレース６の上部が固定される部分が、比較例に比べて、吊り下げ部材３のうち山部２１ａを貫通する部分に対して水平方向に変位しにくくなる。そのため、地震が発生し、下段天井４に水平方向の荷重が加えられる際に、下段天井４が水平方向に変位する変位量を小さくすることができ、天井構造の耐震性能を高めることができる。
【０１１８】
なお、図１１では図示を省略するが、水平板２５ａに貫通孔２３ａ又は切欠きが形成されず、吊り下げ部材３が、接続部材３３（図８参照）と同様の接続部材を有してもよく、当該接続部材が、固定部３３ａ（図８参照）と同様の固定部と、ボルト３３ｂ（図８参照）と同様のボルトと、ナット３３ｃ（図８参照）と同様のナットと、を含んでもよい。また、固定部３３ａと同様の固定部が、水平板２５ａを上下から挟んで固定してもよく、固定部３３ａと同様の固定部と、ボルト３３ｂと同様のボルトと、を含む部材として、シートスタット３３ｄ（図８参照）と同様のシートスタットを用いてもよい。
【０１１９】
このような場合、吊り下げ部材３は、折板２１の山部２１ａを貫通しないし、吊り下げ部材３の上部は、山部２１ａ上では上側部材２２には固定されない。しかし、吊り下げ部材３が下側部材２３に固定されるため、吊り下げ部材３が下側部材２３に対して水平方向に拘束され、また、下側部材２３が折板２１に係止されて水平方向に拘束される。従って、地震が発生し、下段天井４に水平方向の荷重が加えられる際に、下段天井４が水平方向に変位する変位量を小さくすることができ、天井構造の耐震性能を高めることができる。
【０１２０】
以上、本発明者によってなされた発明をその実施の形態に基づき具体的に説明したが、本発明は前記実施の形態に限定されるものではなく、その要旨を逸脱しない範囲で種々変更可能であることは言うまでもない。
【０１２１】
本発明の思想の範疇において、当業者であれば、各種の変更例及び修正例に想到し得るものであり、それら変更例及び修正例についても本発明の範囲に属するものと了解される。
【０１２２】
例えば、前述の各実施の形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【産業上の利用可能性】
【０１２３】
本発明は、高架構造物下の空間に設けられた建築物の天井構造に適用して有効である。
【符号の説明】
【０１２４】
１、３  吊り下げ部材
２  上段天井
４  下段天井
５、６  ブレース
７  高架構造物
８、９、２８、６１  固定部材
１１、３２  吊りボルト
２１  折板
２１ａ  山部
２１ｂ  谷部
２１ｃ、２３ａ  貫通孔
２２  上側部材
２３  下側部材
２４、２５  アングル
２４ａ、２５ａ  水平板
２４ｂ、２５ｂ  側端部
２４ｃ、２５ｃ  垂直板
２６  係止部材
２７、２９  面戸
２７ａ  本体部
２７ｂ  下底面部
２７ｃ  上底面部
２７ｄ  斜面部
２７ｅ、２７ｆ  切欠き
２８ａ、３３ｂ、６５、８３ｂ、９１、９２ｂ  ボルト
２８ｂ、２８ｃ、３１ａ、３１ｃ、３３ｃ、８３ｃ、９２ｃ、９３  ナット
３１  押圧部材
３１ｂ  支持部材
３３、９２  接続部材
３３ａ、８３ａ、９２ａ  固定部
３３ｄ、８３ｄ、９２ｄ  シートスタット
４１  天井板材
４２  野縁
４３  野縁受け
６２  本体部材
６２ａ  高ナット
６３  連結部材
６３ａ  ネジ穴
６４  取り付けボルト部材
ＡＲ１  領域
ＤＳ１〜ＤＳ４  距離
【図１】
2019039157.tif 000003
【図２】
2019039157.tif 000004
【図３】
2019039157.tif 000005
【図４】
2019039157.tif 000006
【図５】
2019039157.tif 000007
【図６】
2019039157.tif 000008
【図７】
2019039157.tif 000009
【図８】
2019039157.tif 000010
【図９】
2019039157.tif 000011
【図１０】
2019039157.tif 000012
【図１１】
2019039157.tif 000013